(57)【要約】【課題】  不定形シール材と定形シール材を組み合わせて防水上の信頼性を高めると共に、改修に伴う工期の短縮や低コスト化が図れる目地構造および目地の改修方法を提供する。【解決手段】  不定形シール材１４と、不定形シール材を覆う定形シール材１５とからなる外壁パネル間の目地構造であって、定形シール材１５は、不定形シール材１４に手を加えることなく、その一部又は全部が除去可能であり、除去可能な部分を取り外した後の空間には少なくとも１層分の新規不定形シール材が充填可能な空間が形成されることを特徴とする。【選択図】  図１
2006283509.tif 000002
【特許請求の範囲】
【請求項１】
不定形シール材と、該不定形シール材を覆う定形シール材と、からなる外壁パネル間の目地構造であって、前記定形シール材は、不定形シール材に手を加えることなく、その一部又は全部が除去可能であり、除去可能な部分を取り外した後の空間には少なくとも１層分の新規不定形シール材が充填可能な空間が形成されることを特徴とする目地構造。
【請求項２】
前記定形シール材は、「除去部」と「残留部」とからなり、前記「残留部」は、前記不定形シール材に密接して被覆する「ヒレ部」と前記不定形シール材に埋設、定着される「定着部」とを有するとともに、前記「除去部」を取り外した際に残留しうるように前記「除去部」と接合されていることを特徴とする請求項１に記載の目地構造。
【請求項３】
前記定形シール材は、前記不定形シール材とは絶縁し、不定形シール材に手を加えることなく、その全部が除去可能であることを特徴とする請求項１に記載の目地構造。
【請求項４】
前記定形シール材は、外壁パネルに設けられた「係止部」にて係止されていることを特徴とする請求項３に記載の目地構造。
【請求項５】
不定形シール材と、該不定形シール材を覆う定形シール材と、からなる外壁パネル間の目地の改修方法であって、前記不定形シール材を残した状態で前記定形シール材を一部或いは全部除去した後、前記定形シール材を除去することによって形成された空間に新規不定形シール材を充填することを特徴とする目地の改修方法。
【発明の詳細な説明】
【技術分野】
【０００１】
本発明は、建物の外壁部材間の目地構造および目地の改修方法に関する。
【背景技術】
【０００２】
建築物の外壁部材間の目地は水密構造とする必要があり、従来より目地部に不定形シール材（湿式目地材）を充填したり、定形シール材（乾式目地材）を装填して防水施工を行っている。
【０００３】
不定形シール材を充填した目地構造では、シール材の経年劣化により、収縮、亀裂、剥がれ等が発生し防水性能が低下するため、改修を行う必要がある。かかる不定形シール材の経年後の改修は、既存のシール材をカッター等で撤去し新規にシール材を充填する工法が一般的であるが、目地内に除去しきれないシール材の薄膜が残留するのを回避しがたく、新規シール材と目地の界面に残留薄膜が存在することにより界面の防水信頼性を低下させることになる。
【０００４】
このような問題を解決するために、例えば特許文献１では、不定形シール材をカッター等で除去した目地溝内にシール材溶解剤を充填してシール材の残留薄層を溶解除去した後、新たなシール材を充填する方法が提案されている。
【０００５】
一方、定形シール材の改修は不定形シール材に比べて軽微な場合が多いが、目地間隔の拡縮変動に対する追従性が不十分なことと、交差部等で接合部が生じる為、防水上の信頼性が不充分であると考えられている。
【０００６】
このため、近年、防水上の信頼性を高めるために定形シール材と不定形シール材とを組み合わせた様々な目地構造が提案されている（例えば特許文献２乃至６参照）。これらの目地構造では、目地溝の屋内側に不定形シール材を充填させ、その屋外側に定形シール材を装填させ２重の水密構造を形成するため、前記のような単体の目地構造よりも長期に亘って信頼性の高い防水構造が実現できる可能性がある。
【０００７】
【特許文献１】特開２００１−１４０３６５号公報
【特許文献２】特開平１０−１８３７８４号公報
【特許文献３】特許第２９９２４８４号公報
【特許文献４】特許第２８４９９００号公報
【特許文献５】特開２０００−４５４０８号公報
【特許文献６】特許第３６２１７４１号公報
【発明の開示】
【発明が解決しようとする課題】
【０００８】
建物が、長期存続することは、地球資源の節約や建築廃棄物や建設エネルギーの削減といった地球環境上、有意義なこととして認識されている。そのために、継続的な改修やメンテナンスで建物を長持ちさせることが必要であり、外壁目地の改修においては容易でかつ防水上信頼性の高いことが要求される。
【０００９】
特許文献２乃至６に記載されているような定形シール材と不定形シール材とを組み合わせた目地構造によれば、単体の目地構造よりも長期に亘って信頼性の高い防水構造となるものの、前述のように定形シール材は目地間隔の拡縮変動に対する追従性が不十分であることや、熱や振動などの化学的物理的影響を受けることなどにより、定形シール材と外壁部材の間にすき間が生じる。その結果、定形シール材と不定形シール材との間に水が滞留したり、外気が侵入してしまうため不定形シール材の経年劣化は避けられない。
【００１０】
このため、定形シール材と不定形シール材を組み合わせた目地構造においても改修を行う必要があるが、特許文献２乃至６は目地の改修に関して一切言及していない。
【００１１】
定形シール材と不定形シール材を組み合わせた目地構造を改修する場合でも前述した不定形シール材の残留薄膜の問題はつきまとうため、例えば、定形シール材を撤去した後に、特許文献１に記載されたような改修方法を用いることにより、防水上信頼性の高い改修を行うことは可能である。
【００１２】
しかしながら、特許文献１に記載された改修方法では、（１）不定形シール材をカッター等を使用して手作業で撤去する必要があり、（２）シール材溶解剤を充填してから溶解反応が終了するまで一定時間放置する必要があり、（３）シール材溶解剤の養生（揮発防止等）を図る必要がある。しかも、定形シール材と不定形シール材を組み合わせた工法では、不定形シール材単体工法の場合と比較して目地形状が奥深く複雑であったりする等して改修時の不定形シール材の撤去が困難である場合が多い。
【００１３】
環境対応が多くの業種や産業に求められている現在において、外壁目地の改修がより一層の合理性と信頼性を持つことは建物の長寿命化の観点から望ましいものであるが、上記従来の改修方法では、改修工期が長期化すると共に改修費用が増大するといった問題を抱えている。
【００１４】
本発明は、上記従来技術が抱える問題を解決し、不定形シール材と定形シール材を組み合わせて防水上の信頼性を高めると共に、改修に伴う工期の短縮や低コスト化が図れる目地構造および目地の改修方法を提供することを目的とするものである。
【課題を解決するための手段】
【００１５】
上記の目的を達成すべく成された本発明は、不定形シール材と、該不定形シール材を覆う定形シール材と、からなる外壁パネル間の目地構造であって、前記定形シール材は、不定形シール材に手を加えることなく、その一部又は全部が除去可能であり、除去可能な部分を取り外した後の空間には少なくとも１層分の新規不定形シール材が充填可能な空間が形成されることを特徴とする。
また、前記定形シール材は、「除去部」と「残留部」とからなり、前記「残留部」は、前記不定形シール材に密接して被覆する「ヒレ部」と前記不定形シール材に埋設、定着される「定着部」とを有するとともに、前記「除去部」を取り外した際に残留しうるように前記「除去部」と接合されていることを特徴とする。
また、前記定形シール材は、前記不定形シール材とは絶縁し、不定形シール材に手を加えることなく、その全部が除去可能であることを特徴とする。そしてまた、前記定形シール材は、外壁パネルに設けられた「係止部」にて係止されていることを特徴とする。
【００１６】
また、本発明は、不定形シール材と、該不定形シール材を覆う定形シール材と、からなる外壁パネル間の目地の改修方法であって、前記不定形シール材を残した状態で前記定形シール材を一部或いは全部除去した後、前記定形シール材を除去することによって形成された空間に新規不定形シール材を充填することを特徴とする。
【発明の効果】
【００１７】
本発明の目地構造によれば、不定形シール材に手を加えることなく、その一部又は全部が除去可能な定形シール材で不定形シール材を覆い、定形シール材の除去可能な部分を取り外すことによって、任意の回数の改修分に応じた新規の不定形シール材を充填可能な空間が形成されるため、既存の不定形シール材に重ねて新規の不定形シール材を充填して改修することができる。このため、既存の不定形シール材を除去することなく改修を行うことができ、改修に伴う工期の短縮や低コスト化が可能である。
また、改修後に残った既存の不定形シール材が防水層としても一定の性能が期待できることから、改修後の目地の防水性の信頼性が向上する。
また、就中、定形シール材により紫外線や風雨から不定形シール材が保護されるため、不定形シール材の耐久性が向上する。また定形シール材が一次防水、不定形シーリング材が二次防水となるので目地全体の防水性能が向上する。
【００１８】
また、本発明の目地の改修方法によれば、既存の不定形シール材を除去することなく改修を行うため、改修に伴う工期の短縮や低コスト化が可能である。
【発明を実施するための最良の形態】
【００１９】
以下、本発明の好適な実施形態例について図面に基づいて説明する。
【００２０】
［第１の実施形態例］
図１は、本発明の第１の実施形態例に係る新築時の目地構造を断面図として示したものである。図中、１１は外壁パネル、１２は目地、１３はバックアップ材、１４は不定形シール材、１５は定形シール材である。
【００２１】
本例の目地構造は、外壁パネル１１，１１の間の目地１２の一定位置にバックアップ材１３を挿入し、その上に適量の不定形シール材１４を充填した後、定形シール材１５を装填して２重の水密構造を形成しているものである。
【００２２】
不定形シール材が就中、露出して使用される場合は、表面の埃やごみの付着による汚染が発生する。また、不定形シール材の上に塗装する工法の場合は塗膜が目地の動きに追従できず、塗膜の割れが発生したり、不定形シール材の可塑成分が塗膜に移行することによる塗膜の軟化を引き起こし、塗膜汚染が発生することによる美観上の不具合が懸念される。しかし、本発明のように不定形シール材を定形シール材で覆うことにより、これらの問題が発生しないことで、外壁目地の美観性が向上する。
【００２３】
また、本発明の目地構造では、不定形シール材充填後、直ちに定形シール材を装填することができ、その際不定形シール材には美観的性能が要求されないため仕上げ工事が簡略化でき、その分、工期の短縮や費用の削減が可能である。
【００２４】
以下に本例の目地構造を構成する各部材について説明する。
【００２５】
（外壁パネル）
外壁パネル１１は、少なくとも不定形シール材１４と一部ラップする範囲ａまで表面を防水塗料でプレコートされたものである。外壁パネルの具体例としては、ＡＬＣパネル、ＰＣａ板、ＧＲＣ、セメント押出し成形板、窯業系サイディング、金属サイディング、塗装鋼板、金属パネル等が挙げられる。
【００２６】
また、本例の目地構造は後述のように２回の改修が可能なものであり、外壁パネル１１は、新規の不定形シール材を２回打ち増し出来る厚さを有しているものである。具体的には、目地巾が１０〜２０ｍｍの場合、目地深さは１０ｍｍ〜１５ｍｍ程度が適切であるため、目地巾１０ｍｍで改修を２回予定する建物の目地厚さは、例えば、１０ｍｍ（バックアップ材）＋１０ｍｍ（新築時不定形シール材）＋２ｍｍ（新築時定形シール材ヒレ部）＋１０ｍｍ（改修１回時不定形シール材）＋２ｍｍ（改修１回時定形シール材ヒレ部）＋１０ｍｍ（改修２回時不定形シール材）＋２ｍｍ（改修２回時定形シール材露出部）＝４６ｍｍ、必要である。
【００２７】
（バックアップ材）
バックアップ材１３は、定形性を有するものであり、通常使用される発泡ポリオレフィン系や、不燃性の無機繊維製のものが挙げられる。
【００２８】
（不定形シール材）
不定形シール材１４の具体例としては、ＪＩＳ  Ａ  ５７５８：１９９７に規定されるシリコーン系、変性シリコーン系、ポリサルファイド系、アクリルウレタン系、ポリウレタン系、変性ポリサルファイド系、アクリル系、ＳＢＲ系、ブチルゴム系、ポリイソブチレン系のものなどが挙げられる。
【００２９】
（定形シール材）
不定形シール材１４だけでは深い目地となり外観上問題である為、嵩上げを兼ねる定形シール材１５を被せて外観を整える。
【００３０】
定形シール材１５は、後述の改修によって充填される新規の不定形シール材と既設の不定形シール材１４との間に残留することになる残留部１６と、改修時に取り除かれる除去部１７とからなる。
【００３１】
残留部１６は、不定形シール材１４に密接して被覆するヒレ部１６ａと、不定形シール材１４に埋設して定着される定着部１６ｂとを有している。
【００３２】
ヒレ部１６ａは、新築時には不定形シール材１４の表面を押えることにより、日常振動などで硬化途中の不定形シール材が垂れ下がることを防止するとともに、不定形シール材がはみ出すことを防止して改修時に新規の不定形シール材を充填可能な空間を確保する。
【００３３】
不定形シール材１４が硬化すると、定着部１６ｂが不定形シール材１４に埋設し定着され、定形シール材１５の就中の風雨や地震や交通振動などによる自然脱落を防止することができる。
【００３４】
除去部１７は、露出部１７ａと、所定の高さをもつ板状部１７ｂとを有している。
【００３５】
露出部１７ａは目地間隔よりも広い幅をもち、湾曲による摩擦で不定形シール材１４が硬化するまでの定形シール材の脱落を防ぎ、また、硬化後は目地の拡縮に対して追従性を持たせ防水性を確保する。なお、露出部１７ａの表面は外観上目視できるため、美観上の配慮が必要である。
【００３６】
板状部１７ｂは、改修時に除去部１７を取り外した際に、少なくとも１層分の新規不定形シール材を充填可能な空間を確保できるだけの高さを有しており、本例では新築後２回の改修が可能な高さを有している。
【００３７】
残留部１６と除去部１７の境界にはノッチ部１８が形成されている。ノッチ部１８は線状に微細な切れ目が設けてあり、改修時には切れ目のきっかけを作り、不定形シール材１４に手を加えることなく容易に除去部１７のみを取り除くことができるようになっている。
【００３８】
（施工手順）
以下に本例の目地構造（新築時）の施工手順を簡単に示す。
１．外壁パネル１１を現場搬入、取付
２．不定形シール材１４を充填する部分にシーリング用プライマーを塗布
３．バックアップ材１３を押し込んで固定
４．不定形シール材１４を長めのノズルを持ったシーリングガンで充填、また、へらで余剰シーリングをかき取りつつ加圧し、外壁パネル１１の目的側面に密着させる
５．不定形シール材１４を充填直後、定形シール材１５を取り付ける
６．外壁パネル１１に定形シール材１５もろとも塗料の吹き付けを行う（塗料が外壁パネルにプレコートされている場合は不要）
【００３９】
次に、本例の目地構造の１回目の改修方法を説明する。
図２は１回目の改修後の目地構造を断面図として示したものである。図中、２４はこの改修時に充填された新規の不定形シール材、２５は新規の定形シール材である。
【００４０】
前述のように新築時に設置した定形シール材１５には残留部１６と除去部１７の境界にノッチ部１８が形成されており、ノッチ部１８の一部に切れ目のきっかけを与えるとその後は容易にノッチ線に沿って引きちぎれるため、残留部１６を残して除去部１７のみを簡単に撤去できる。除去部１７を取り外した後には所定の空間が形成され、この空間に適量の不定形シール材２４を充填した後、定形シール材２５を装填することにより、図示のような目地構造が形成される。
【００４１】
新規の不定形シール材２４は、新築時の不定形シール材１４と同様の材料を用いることができる。
【００４２】
新規の定形シール材２５は、新築時の定形シール材１５と同様に、ヒレ部２６ａと定着部２６ｂを有する残留部２６と、露出部２７ａと板状部２７ｂを有する除去部２７とからなり、これら各部は対応する定形シール材１５の各部と同様の機能を有するものである。
【００４３】
新規の定形シール材２５と新築時の定形シール材１５との唯一の違いは、板状部１７ｂが除去部１７を取り外した際に２層分の新規不定形シール材を充填可能な空間を確保できるだけの高さを有しているのに対し、板状部２７ｂは除去部２７を取り外した際に１層分の新規不定形シール材を充填可能な空間を確保できるだけの高さを有している点である。
【００４４】
（施工手順）
以下に本例の目地構造の１回目改修時の施工手順を簡単に示す。
１．定形シール材１５の除去部１７を取り除く
２．新規の不定形シール材２４を充填する部分にシーリング用プライマーを塗布
３．不定形シール材２４を長めのノズルを持ったシーリングガンで充填、また、へらで余剰シーリングをかき取りつつ加圧し、外壁パネル１１の目的側面に密着させる
４．不定形シール材２４を充填直後、定形シール材２５を取り付ける
５．外壁パネル１１に定形シール材２５もろとも塗料ｂの吹き付けを行う
【００４５】
次に、本例の目地構造の２回目の改修方法を説明する。
図３は２回目の改修後の目地構造を断面図として示したものである。図中、３４はこの改修時に充填された新規の不定形シール材、３５は新規の定形シール材である。
【００４６】
１回目の改修時に設置した定形シール材２５にも残留部２６と除去部２７の境界にノッチ部２８が形成されており、ノッチ部２８の一部に切れ目のきっかけを与えるとその後は容易にノッチ線に沿って引きちぎれるため、残留部２６を残して除去部２７のみを簡単に撤去できる。除去部２７を取り外した後には所定の空間が形成され、この空間に適量の不定形シール材３４を充填した後、定形シール材３５を装填することにより、図示のような目地構造が形成される。
【００４７】
新規の不定形シール材３４は、新築時の不定形シール材１４と同様の材料を用いることができる。
【００４８】
新規の定形シール材３５は、新築時の定形シール材１５の残留部１６と同様の形態を有し、ヒレ部３６ａと定着部３６ｂとからなり、これら各部は対応する定形シール材１５の各部と同様の機能を有する。ヒレ部３６ａは、更に新築時の定形シール材１５の露出部１７ａと同様の機能を有し、また、外観上目視できるため、美観上の配慮が必要である。
【００４９】
（施工手順）
以下に本例の目地構造の２回目改修時の施工手順を簡単に示す。
１．定形シール材２５の除去部２７を取り除く
２．新規の不定形シール材３４を充填する部分にシーリング用プライマーを塗布
３．不定形シール材３４をシーリングガンで充填、また、へらで余剰シーリングをかき取りつつ加圧し、外壁パネル１１の目的側面に密着させる
４．不定形シール材３４を充填直後、定形シール材３５を取り付ける
５．外壁パネル１１に定形シール材３５もろとも塗料ｃの吹き付けを行う
【００５０】
なお、不定形シール材３４として耐候性に特に優れる材料、例えばシリコーンゴム等を用いる場合には、図４に示すように定形シール材３５を省略することも可能である。この場合の施工手順を以下に簡単に示す。
【００５１】
（施工手順）
１．定形シール材２５の除去部２７を取り除く
２．塗料ｄの吹付＋養生
３．新規の不定形シール材３４を充填する部分にシーリング用プライマーを塗布
４．不定形シール材３４をシーリングガンで充填、また、へらで余剰シーリングをかき取りつつ加圧し、外壁パネル１１の目的側面に密着させる
【００５２】
本例の目地構造では、改修後の目地構造は図２乃至図４に示されるように、改修時にそそまま残される定形シール材のヒレ部１６ａ（もしくはヒレ部２６ａ）が新規の不定形シール材２４（もしくは不定形シール材３４）に密接している。不定形シール材は、経時で硬化する度合いが強い場合は、３面（目地の両端と底部）接着されているとシーリング材の特長である伸縮性が失われ目地間隔の拡縮変動に対応できなくなり、シーリング材がひび割れたり破損する原因になる。
【００５３】
このため、３面接着を防止するために、少なくとも定形シール材のヒレ部１６ａ（もしくはヒレ部２６ａ）が、不定形シール材に接着しにくいように配慮することが重要である。具体的には、例えば定形シール材の材料として一般的に不定形シール材と接着しにくいと認識されているＰＰやＰＥを用いる、もしくは、ヒレ部の底に剥離紙が貼られる等の剥離処置がされたものを用いるのがよい。なお、ヒレ部の底に剥離紙が貼られた場合は、ＰＰ，ＰＥの他にも、塩ビ系、ＴＰＯ系等のプラスチック系、クロロプレン系（ＣＲ）、ＥＰＤＭ系、クロロスルフォン化ポリエチレン（ＣＳＭ）、ＳＲ系、ウレタン等の合成ゴム系を用いることもできる。
【００５４】
以上説明したように、本例の目地構造では、既存の不定形シール材に重ねて新規の不定形シール材を充填して改修することができるため、既存の不定形シール材を除去することなく改修を行うことができ、改修に伴う工期の短縮や低コスト化が可能である。また、就中、定形シール材により紫外線や風雨から不定形シール材が保護されるとともに、改修後に残った既存の不定形シール材が防水層としても一定の性能が期待できるため、改修後の目地の防水性の信頼性を高めることができる。
【００５５】
［第２の実施形態例］
図５は、本発明の第２の実施形態例に係る新築時の目地構造を断面図として示したものである。
【００５６】
第１の実施形態例では定形シール材１５の残留部１６と除去部１７の境界にノッチ部１８を形成したが、本例の定形シール材１５は残留部１６と除去部１７とを嵌合部ｅにて嵌合させた構造を有し、第１の実施形態例と同様、改修時に不定形シール材１４に手を加えることなく容易に除去部１７のみを取り除くことができるものである。
【００５７】
本例の目地構造においても、新築時の施工および改修は第１の実施形態例と同様にして行うことができる。なお、嵌合部ｆの構造は図示の例に限定されるものではなく、改修時に不定形シール材１４に手を加えることなく除去部１７のみを取り除くことができれば適宜の構造を採用することができる。
【００５８】
［第３の実施形態例］
図６は、本発明の第３の実施形態例に係る新築時の目地構造を断面図として示したものである。図中、６１は定形シール材、６２はバックアップ材である。
【００５９】
第１および第２の実施形態例は改修時に定形シール材の一部（除去部１７）を取り除くようにしたものであるが、本例は改修時に定形シール材全体を取り除くものである。
【００６０】
本例の定形シール材６１は、先の実施形態例のような不定形シール材に埋設される定着部１６ｂを有しておらず、露出部６１ａと底面部６１ｂと板状部６１ｃとからなり、改修時に定形シール材６１を取り外した際に、少なくとも１層分の新規不定形シール材を充填可能な空間を確保できるだけの高さを有している。また、定形シール材６１の少なくとも底面部６１ｂは、一般的に不定形シール材と接着しにくいと認識されているＰＰやＰＥを用いる、もしくは、底面部６１の底に剥離紙が貼られる等の剥離処置がされたものを用いる。
【００６１】
以上の構成により、定形シール材６１と不定形シール材１４とを絶縁することができ、改修時に不定形シール材１４と底面部６１ｂの界面で定形シール材６１を容易に剥離することができる。
【００６２】
上記のように、本例においては定形シール材６１は不定形シール材１４と絶縁されているため、定形シール材６１の就中の脱落を防止するために、外壁パネル１１に係止部（凹部）６３を設け、この係止部６３に底面部６１ｂの両端を係止させるようにしている。
【００６３】
本例の目地構造においても、新築時の施工および改修は第１の実施形態例に準じて行うことができる。なお、図６では外壁パネル１１に係止部（凹部）６３を一段だけ設けているが、複数回の改修を行う場合には、係止部（凹部）６３を複数段設ける。
【００６４】
本例の目地構造では、改修時に既設の不定形シール材の上に直接、新規の不定形シール材を充填することになるため、既設の不定形シール材が経時で硬化する度合いが弱く、３面接着となっても既設のシール材が新規の不定形シール材の挙動に追従する場合に好適である。
【００６５】
また、先の実施形態例のように改修後の目地構造中に定形シール材の残留部が残ることがないため、外壁パネル１１の厚みが薄い場合に好適である。外壁パネル１１の厚みが薄い場合には、バックアップ材６２は図示のように薄いシート板形状のものを用いるのが良い。
【００６６】
なお、本例のように改修時に定形シール材全体を取り除く場合には、定形シール材と不定形シール材を絶縁させる必要がある。この絶縁方法としては、前述のように定形シール材を不定形シール材と接着しにくい材料で構成したり、剥離紙を用いる以外にも、例えば図７に示すように、定形シール材６１と不定形シール材１４の間に所定の隙間を設けて施工することもできる。
【図面の簡単な説明】
【００６７】
【図１】本発明の第１の実施形態例に係る新築時の目地構造を示す断面図である。
【図２】本発明の第１の実施形態例に係る１回目の改修後の目地構造を示す断面図である。
【図３】本発明の第１の実施形態例に係る２回目の改修後の目地構造を示す断面図である。
【図４】本発明の第１の実施形態例に係る２回目の改修後の別の目地構造を示す断面図である。
【図５】本発明の第２の実施形態例に係る新築時の目地構造を示す断面図である。
【図６】本発明の第３の実施形態例に係る新築時の目地構造を示す断面図である。
【図７】定形シール材と不定形シール材の間に隙間を設けた本発明の新築時の目地構造を示す断面図である。
【符号の説明】
【００６８】
１１  外壁パネル
１２  目地
１３  バックアップ材
１４、２４、３４  不定形シール材
１５、２５、３５  定形シール材
１６、２６  残留部
１６ａ、２６ａ、３６ａ  ヒレ部
１６ｂ、２６ｂ、３６ｂ  定着部
１７、２７  除去部
１７ａ、２７ａ  露出部
１７ｂ、２７ｂ  板状部
１８、２８  ノッチ部
６１  定形シール材
６１ａ  露出部
６１ｂ  底面部
６１ｃ  板状部
６２  バックアップ材
６３  係止部（凹部）
【図１】
2006283509.tif 000003
【図２】
2006283509.tif 000004
【図３】
2006283509.tif 000005
【図４】
2006283509.tif 000006
【図５】
2006283509.tif 000007
【図６】
2006283509.tif 000008
【図７】
2006283509.tif 000009